(57)【特許請求の範囲】
【請求項１】
室内に配設された複数の冷暖房ユニットへ熱源機から配管を介して冷温水を導き、上記室内を冷暖房する冷暖房装置において、
上記配管は、上記熱源機に接続されてこの熱源機からの冷温水を循環させる単一の主配管と、この主配管に接続されると共に継手部材を介し当該熱源機に対して直列に配設された上記冷暖房ユニットに接続されて、上記主配管から上記冷暖房ユニットへ冷温水を給排する一組の分配配管とを備えてなり、
上記継手部材は、上記室内の床上に配置されるとともに、上記一組の分配配管を連通可能とするバイパス流路を有し、このバイパス流路に冷温水の流量を変更可能な弁機構を備え、上記熱源機に近い冷暖房ユニットに対応する継手部材ほど、上記弁機構の開度を大きく設定したことを特徴とする冷暖房装置。
【請求項２】
上記継手部材は、主配管及び分配配管の施工後に、冷暖房ユニットを一組の分配配管に取付可能に構成されたことを特徴とする請求項１に記載の冷暖房装置。
【発明の詳細な説明】
【０００１】
【発明の属する技術分野】
本発明は、冷暖房ユニットへ冷温水を供給して室内を冷暖房する冷暖房装置に関する。
【０００２】
【従来の技術】
図４に示すように、室内に配設された複数の冷暖房ユニット１１Ａ、１１Ｂ、１１Ｃ…へ熱源機１２から冷温水を導いて、上記室内を冷暖房する従来の冷暖房装置１０が、実開昭６３−１３７２１１号公報に掲載されている。
【０００３】
この冷暖房装置１０では、それぞれの冷暖房ユニット１１Ａ、１１Ｂ、１１Ｃ…が熱源機１２に、一組の往き配管１３と戻り配管１４とによって個別に接続されて、熱源機１２に対し並列に配設されている。これらの往き配管１３及び戻り配管１４により、熱源機１２から冷暖房ユニット１１Ａ、１１Ｂ、１１Ｃ…へ冷温水が循環して供給される。
【０００４】
【発明が解決しようとする課題】
ところが、上述のように、複数の冷暖房ユニット１１Ａ、１１Ｂ、１１Ｃ…が一組の往き配管１３及び戻り配管１４を介して熱源機１２に個別に接続されているので、冷暖房ユニット１１Ａ、１１Ｂ、１１Ｃ…の数が増加するに従って配管長が増大し、配管本数も増加してしまう。このため、配管施工工事が煩雑化し、配管施工コストが上昇してしまう。
【０００５】
本発明の課題は、上述の事情を考慮してなされたものであり、熱源機から冷暖房ユニットへ冷温水を導く配管の配管長を低減し、配管材料等を減少させて、配管施工コストを低減できる冷暖房装置を提供することにある。
【０００６】
【課題を解決するための手段】
請求項１に記載の発明は、室内に配設された複数の冷暖房ユニットへ熱源機から配管を介して冷温水を導き、上記室内を冷暖房する冷暖房装置において、上記配管は、上記熱源機に接続されてこの熱源機からの冷温水を循環させる単一の主配管と、この主配管に接続されると共に継手部材を介し当該熱源機に対して直列に配設された上記冷暖房ユニットに接続されて、上記主配管から上記冷暖房ユニットへ冷温水を給排する一組の分配配管とを備えてなり、上記継手部材は、上記室内の床上に配置されるとともに、上記一組の分配配管を連通可能とするバイパス流路を有し、このバイパス流路に冷温水の流量を変更可能な弁機構を備え、上記熱源機に近い冷暖房ユニットに対応する継手部材ほど、上記弁機構の開度を大きく設定したことを特徴とするものである。
【０００７】
請求項２に記載の発明は、請求項１に記載の発明において、上記継手部材は、主配管及び分配配管の施工後に、冷暖房ユニットを一組の分配配管に取付可能に構成されたことを特徴とするものである。
【０００８】
請求項1に記載の発明には、次に作用がある。
複数の冷暖房ユニットは、熱源機に接続された主配管に分配配管を介して接続され、熱源機に対し直列に配設されたことから、複数の冷暖房ユニットが一組の配管を介し熱源機に個別に接続されて、熱源機に対し並列に配設される場合に比べ、配管長を短縮でき、しかも配管材料及び断熱材等を減少できるので、配管施工工事を容易化できると共に、配管施工コストを低減できる。
【０００９】
また、冷暖房ユニットを分配配管に接続する継手部材には、冷温水の流量を変更可能な弁機構を備えたバイパス流路を有することから、熱源機に近い冷暖房ユニットに対応する継手部材ほど、その弁機構の開度を大とすれば、当該継手部材から対応する冷暖房ユニットへ導く冷温水の流量を減少させることができる。この結果、複数の冷暖房ユニットの冷暖房能力を略均等化でき、室内の冷暖房温度のムラを解消できる。
更に、継手部材が室内の床上に配置されたことから、この継手部材の弁機構における弁開度を室内において容易に調整できる。
請求項２に記載の発明には、次に作用がある。
【００１０】
継手部材が、主配管及び分配配管の施工後に、冷暖房ユニットを一組の分配配管に取付可能に構成されたことから、主配管及び分配配管の施工工事、並びに室内の床工事の終了後に冷暖房ユニットを設置できるので、冷暖房ユニットの設置作業を容易化できる。
【００１１】
【発明の実施の形態】
以下、本発明の実施の形態を図面に基づいて説明する。
【００１２】
図１は、本発明に係る冷暖房装置の一実施の形態である暖房装置の全体構成を示す系統図である。
【００１３】
この図１に示す冷暖房装置としての暖房装置２０は、熱源機２１から冷温水としての温水を、室内２７（図２）に設置された冷暖房ユニットとしての複数台の放熱器２２Ａ、２２Ｂ、２２Ｃ…へ、主配管２３並びに一組の往き側分配配管２４Ａ及び戻り側分配配管２４Ｂを介して供給して、室内２７を暖房するものである。
【００１４】
上記主配管２３は、熱源機２１に接続される単一配管であり、熱源機２１からの温水を循環させる。
【００１５】
上記往き側分配配管２４Ａ、戻り側分配配管２４Ｂは、主配管２３に例えばエルボ２５（図２）等の管継手を用いて接続されるとともに、放熱器２２Ａ、２２Ｂ、２２Ｃ…に継手部材２６を介して接続される。往き側分配配管２４Ａが、主配管２３からの温水を放熱器２２Ａ、２２Ｂ、２２Ｃ…側へ流し、戻り側分配配管２４Ｂが放熱器２２Ａ、２２Ｂ、２２Ｃ…からの温水を熱源機２１へ戻す。複数台の放熱器２２Ａ、２２Ｂ、２２Ｃ…は、往き側分配配管２４Ａ及び戻り側分配配管２４Ｂ並びに主配管２３を用いて熱源機２１に対し直列に配設される。
【００１６】
上記継手部材２６は、図２に示すように、室内２７の床２８上に配置され、継手本体２９、２個のジョイントピース３０及び５０、４個の袋ナット３１、並びに弁機構としての流量調整弁３２を有してなる。
【００１７】
上記継手本体２９は、図３に示すように正面視Ｈ形状であり、２本の主配管部３３及び５３とバイパス管路部３４とが一体成形されたものである。２本の主配管部３３及び５３の内側に形成されたメイン流路３５が、バイパス管路部３４の内側に形成されたバイパス流路３６により連結される。
【００１８】
主配管部３３、５３のそれぞれの一端部の外周に雄ねじ３３Ａ、５３Ａが刻設され、主配管部３３、５３のそれぞれの他端部の外周に雄ねじ３３Ｂ、５３Ｂがそれぞれ刻設される。主配管部３３の雄ねじ３３Ａ、主管路部５３の雄ねじ５３Ａは、それぞれ往き側分配配管２４Ａ、戻り側分配配管２４Ｂに回転自在に嵌合された袋ナット３１に螺合可能に設けられて、継手本体２９を往き側分配配管２４Ａ、及び戻り側分配配管２４Ｂに結合する。
【００１９】
上記ジョイントピース３０及び５０は、一端側にフランジ部３７を備え、内側にサブ流路３８が形成される。また、ジョイントピース３０、５０のそれぞれの他端側の外周に雄ねじ３０Ａ、雄ねじ５０Ａが刻設される。各ジョイントピース３０、５０のフランジ部３７に袋ナット３１が回転自在に遊嵌され、これらのフランジ部３７は、継手本体２９における主配管部３３の雄ねじ３３Ｂ、主管路部５３の雄ねじ５３Ｂに螺合可能とされて、継手本体２９とジョイントピース３０、５０とを連結する。
【００２０】
また、ジョイントピース３０の雄ねじ３０Ａ、ジョイントピース５０の雄ねじ５０Ａは、放熱器２２Ａ、２２Ｂ、２２Ｃ…の接続部３９に刻設された往き側雌ねじ３９Ａ、戻り側雌ねじ３９Ｂにそれぞれ螺合可能に設けられる。なお、放熱器２２Ａ、２２Ｂ、２２Ｃ…の接続部３９には、放熱器２２Ａ、２２Ｂ、２２Ｃ…への温水の流れを許容又は遮断して、放熱器２２Ａ、２２Ｂ、２２Ｃ…を運転又は停止させる運転制御弁４０が配設されている。
【００２１】
上記流量調整弁３２は、円柱形状で、直径方向に貫通する貫通孔４１を備え、継手本体２９のバイパス管路部３４に、図３の紙面に垂直な軸を中心に回転可能に設けられる。この流量調整弁３２は、貫通孔４１がバイパス管路部３４の軸心と直交する図３に示す位置においてバイパス流路３６を遮断して全閉状態とし、この位置から９０°回転して、貫通孔４１がバイパス管路部３４の軸心と平行する位置においてバイパス流路３６を全開状態とする。流量調整弁３２は、全開位置から全閉位置までの各開度位置において、バイパス流路３６を流れる温水の流量を調整可能とする。図２における符号４２が、流量調整弁３２の開度調整用の操作部を示す。なお、図３中の符号４３は、漏洩防止用のＯリングである。
上述のように構成された継手部材２６は、主配管２３並びに往き側分配配管２４Ａ及び戻り側分配配管２４Ｂの施工工事終了後に、放熱器２２Ａ、２２Ｂ、２２Ｃ…を往き側分配配管２４Ａ、戻り側分配配管２４Ｂに取付可能とする。
【００２２】
つまり、まず、継手本体２９の主配管部３３の雄ねじ３３Ａを、往き側分配配管２４Ａに遊嵌された袋ナット３１（図２）に螺合させ、継手本体２９の主管路部５３の雄ねじ５３Ａを、戻り側分配配管２４Ｂに遊嵌された袋ナット３１（図２）に螺合させる。次に、ジョイントピース３０の雄ねじ３０Ａを放熱器２２Ａ、２２Ｂ、２２Ｃ…の接続部３９における往き側雌ねじ３９Ａに螺合させ、ジョイントピース５０の雄ねじ５０Ａを上記接続部３９の戻り側雌ねじ３９Ｂに螺合させる。最後に、ジョイントピース３０に遊嵌された袋ナット３１を継手本体２９における主配管部３３の雄ねじ３３Ｂに螺合させ、ジョイントピース５０に遊嵌された袋ナット３１を継手本体２９における主管路部５３の雄ねじ５３Ｂに螺合させて、往き側分配配管２４Ａ及び戻り側分配配管２４Ｂに放熱器２２Ａ、２２Ｂ、２２Ｃ…を接続させる。
【００２３】
こうして、往き側分配配管２４Ａ内の温水が、継手本体２９における主配管部３３のメイン流路３５及びジョイントピース３０のサブ流路３８を経て放熱器２２Ａ、２２Ｂ、２２Ｃ…内へ供給可能とされ、放熱器２２Ａ、２２Ｂ、２２Ｃ…からの温水が、継手本体２９におけるジョイントピース５０のサブ流路３８及び主管路部５３のメイン流路３５を経て戻り側分配配管２４Ｂ内へ排出される。
【００２４】
また、継手本体２９における流量調整弁３２の全開操作時には、往き側分配配管２４Ａ内の温水が、放熱器２２Ａ、２２Ｂ、２２Ｃ…へ供給されることなく、継手本体２９のバイパス流路３６を経て戻り側分配配管２４Ｂ内へ送流可能とされる。通常の運用では、熱源機２１に近い放熱器２２Ａ、２２Ｂ、２２Ｃ…に対応する継手本体２９ほど、その流量調整弁３２の開度を大として、当該放熱器２２Ａ、２２Ｂ、２２Ｃ…へ導かれる温水の量を減少させる。
【００２５】
従って、上記実施の形態の暖房装置２０によれば、次の効果▲１▼〜▲４▼を奏する。
【００２６】
▲１▼複数の放熱器２２Ａ、２２Ｂ、２２Ｃ…は、熱源機２１に接続された主配管２３に、往き側分配配管２４Ａ及び戻り側分配配管２４Ｂを介して継手部材２６により接続され、熱源機２１に対し直列に配設されたことから、従来技術の如く、複数の冷暖房ユニット１１Ａ、１１Ｂ、１１Ｃ…が一組の往き配管１３及び戻り配管１４を介し熱源機１２に個別に接続されて、この熱源機１２に対し並列に配設される場合に比べ、配管長を短縮でき、しかも配管材料及び断熱材を減少できるので、配管施工工事を容易化できるとともに、配管施工コストを低減できる。さらに、配管長を短縮できるので、水漏れなどの不具合を解消できる。
▲２▼放熱器２２Ａ、２２Ｂ、２２Ｃ…を往き側分配配管２４Ａ及び戻り側分配配管２４Ｂに接続する継手部材２６には、温水の流量を変更可能な流量調整弁３２を備えたバイパス管路部３４を有することから、熱源機２１に近い放熱器２２Ａ、２２Ｂ、２２Ｃ…に対応する継手部材２６ほど、その流量調整弁３２の開度を大とすれば、当該継手部材２６から、対応する放熱器２２Ａ、２２Ｂ、２２Ｃ…へ供給する温水の量を減少させることができる。この結果、複数の放熱器２２Ａ、２２Ｂ、２２Ｃ…の暖房能力をほぼ均等化でき、室内２７の暖房温度のムラを解消できる。
【００２７】
▲３▼継手部材２６が室内２７の床２８上に配置されたことから、この継手部材２６の流量調整弁３２における弁開度を室内２７において、操作部４２を操作することにより容易に調整できる。
【００２８】
▲４▼継手部材２６は、主配管２３並びに往き側分配配管２４Ａ及び戻り側分配配管２４Ｂの施工後に、放熱器２２Ａ、２２Ｂ、２２Ｃ…を、一組の往き側分配配管２４Ａ及び戻り側分配配管２４Ｂに取付可能に構成されたことから、主配管２３並びに往き側分配配管２４Ａ及び戻り側分配配管２４Ｂの施工工事、並びに室内２７の床２８工事の終了後に放熱器２２Ａ、２２Ｂ、２２Ｃ…を設置できるので、これらの放熱器２２Ａ、２２Ｂ、２２Ｃ…の設置作業を容易化できる。
【００２９】
以上、一実施の形態に基づいて本発明を説明したが、本発明はこれに限定されるものではない。
【００３０】
例えば、熱源機２１から最も遠い位置に設置された放熱器２２Ａ、２２Ｂ、２２Ｃ…（図１では放熱器２２Ｃ）に対応する継手部材２６には、流量調整弁３２を設置しなくてもよい。
【００３１】
また、上記実施の形態は、冷暖房ユニットが放熱器２２Ａ、２２Ｂ、２２Ｃ…の場合を述べたが、冷暖房ユニットへ熱源機２１から温水又は冷水を供給可能とする冷暖房装置に本発明を適用してもよい。
【００３２】
【発明の効果】
以上のように、本発明に係る冷暖房装置によれば、熱源機から複数の冷暖房ユニットへ冷温水を導く配管は、上記熱源機に接続されてこの熱源機からの冷温水を循環させる単一の主配管と、この主配管に接続されると共に継手部材を介し上記冷暖房ユニットに接続されて、上記主配管から上記冷暖房ユニットへ冷温水を給排する一組の分配配管とを備えてなり、上記継手部材は、上記室内の床上に配置されるとともに、上記一組の分配配管を連通可能とするバイパス流路を有し、このバイパス流路に冷温水の流量を変更可能な弁機構を備えたことから、熱源機から冷暖房ユニットへ冷温水を導く配管の配管長を低減し、配管材料等を減少させて、配管施工コストを低減できる。
【図面の簡単な説明】
【図１】本発明に係る冷暖房装置の一実施の形態である暖房装置の全体構成を示す系統図である。
【図２】図１の一部を拡大して示す要部拡大図である。
【図３】図２の継手部材を破断して示す分解断面図である。
【図４】従来の冷暖房装置を示す系統図である。
【符号の説明】
２０  暖房装置（冷暖房装置）
２１  熱源機
２２Ａ、２２Ｂ、２２Ｃ  放熱器（冷暖房ユニット）
２３  主配管
２４Ａ  往き側分配配管
２４Ｂ  戻り側分配配管
２６  継手部材
２７  室内
２８  床
３２  流量調整弁
３４  バイパス管路部
３６  バイパス流路
【図１】
0003935614.tif 000002
【図２】
0003935614.tif 000003
【図３】
0003935614.tif 000004
【図４】
0003935614.tif 000005